(57)【要約】      （修正有）【課題】ほのかな香りが継続的に安定して発せられる香り付きポケットティシュー製品を提供する。【解決手段】内側樹脂製フィルム層３０Ｂと外側樹脂製フィルム層３０Ａとこれらの間に介在して両フィルムを接着する粘着剤層又は接着剤層３０Ｍとを有する層構造をなす包装フィルム１を用い、その内側樹脂製フィルム層３０Ｂが前記ティシュペーパー束２に対面する位置関係で、ティシュペーパー束２を包装するとともに、内側樹脂製フィルム層３０Ｂを前記外側樹脂製フィルム層３０Ａよりもガスの透過性が高いものとしかつ前記粘着剤層又は接着剤層３０Ｍに香料を含有させた、香り付きティシュペーパー製品により解決される。【選択図】図２
2014046958.tif 000002
【特許請求の範囲】
【請求項１】
折り畳まれたティシュペーパーが複数枚重ねられたティシュペーパーの束が包装フィルムにより個包装されたポケットティシュー製品であって、
前記包装フィルムが、内側樹脂製フィルム層と外側樹脂製フィルム層とこれらの間に介在して両フィルムを接着する粘着剤層又は接着剤層とを有する層構造を有し、
その粘着剤層又は接着剤層に香料が含有されているとともに、前記内側樹脂製フィルム層が前記外側樹脂製フィルム層よりもガスの透過性が高いものであり、
かつ、前記内側樹脂製フィルム層が前記ティシュペーパー束に対面する位置関係で、ティシュペーパー束が包装フィルムにより包装されている、
ことを特徴とする香り付きポケットティシュー製品。
【請求項２】
前記外側樹脂製フィルム層は、酸素の透過度が２００ｃｃ／ｍ2・２４ｈ／ａｔｍ未満、炭酸ガスの透過度が９００ｃｃ／ｍ2・２４ｈ／ａｔｍ未満であり、前記内側樹脂製フィルム層は、酸素の透過度が７００ｃｃ／ｍ2・２４ｈ／ａｔｍ以上、炭酸ガスの透過度が４０００ｃｃ／ｍ2・２４ｈ／ａｔｍ以上である、
請求項１記載の香り付きポケットティシュー製品。
【請求項３】
前記外側樹樹脂製フィルム層が、ポリエチレンテレフタレートフィルム、ポリ塩化ビニリデンフィルムである請求項１又は２記載の香り付きポケットティシュー製品。
【請求項４】
前記内側樹脂製フィルム層が、ポリエチレンフィルム、ポリスチレンフィルム、ポリプロピレンフィルム、ポリカーボネートフィルムである請求項１〜３の何れか１項に記載の香り付きポケットティシュー製品。
【請求項５】
前記外側樹脂製フィルム層の厚みが５〜８０μｍ、内側樹脂製フィルム層の厚みが１０〜１００μｍ、粘着剤層又は接着剤層の厚みが５〜８０μｍである請求項１〜４の何れか１項に記載の香り付きポケットティシュー製品。
【発明の詳細な説明】
【技術分野】
【０００１】
本発明は、ポケットティシュー製品、特に香りを発する香り付きのティシュペーパーをフィルム包装した香り付きポケットティシュー製品に関する。
【背景技術】
【０００２】
ティシュペーパー製品には、１０〜２０組程度の比較的少ない組数（複数プライ或いは複数枚で一組とされる）を樹脂製フィルムによって個包装したポケットティシュー製品と称されるものがある。
【０００３】
また、ティシュペーパー製品には、香料を付与した香り付きティシュペーパーを包装したものがある。この種の香り付きティシュペーパー製品では、特に、瞬間的に強い香りがするものよりも、ほのかな香りが長期間継続的に感じられるものが好まれる。
【０００４】
従来の香り付きのティシュペーパーは、ティシュペーパー自体にスプレー塗布等によって香料を直接に付与するか、或いは、香料を封入したマイクロカプセルをティシュペーパーに付与して製造されていた。
【０００５】
しかし、前者のティシュペーパー自体に薬液を付与する場合、直接的に付与するにしても、マイクロカプセルに封入して付与するにしても、製造時、設備に香料が付着したり、周囲に香料が飛散したりすることによる製造箇所周辺の環境が悪化する。
【０００６】
このため、香付きティシュペーパー専用の製造ラインを設ける或いは、香付きティシュペーパーの製造後に製造ラインの香料除去のための清掃作業が必須となるという問題があった。
【０００７】
また、特にポケットティシューとする場合、ポケットティシューの包装形態が内外に連通する取り出し口形成用のミシン目線を有し、そのミシン目線を開口すると内部容積に対して比較的広い取り出し口が形成されるものであるために、繊維間がポーラスなティシュペーパーに香料成分を直接的に付与して包装しても、開封前の保管期間、さらに開封後の使用時のいずれの状態であっても、香料が短時間で蒸散してしまうという問題があった。
【０００８】
他方、特に、香料を封入したマイクロカプセルを付与した香り付きティシュペーパーは、高価な香料をマイクロカプセルに封入する際の歩留まり効率が低く香料が無駄になることが多く、コスト高になる問題がある。
【０００９】
さらに、香料を封入したマイクロカプセルをティシュペーパーに付与するものは、製造する工程が、ティシュペーパー原紙にマイクロカプセルを付与した後に、裁断工程、折畳み工程などを経てティシュペーパー製品に用いる束にするという工程になるため、マイクロカプセル付与後の後工程でマイクロカプセルが少なからず崩壊するため、無駄となるマイクロカプセルが多いという問題がある。また、そのような製造時のマイクロカプセルの崩壊を考慮して、香りの強さを設計することが難しかった。
【００１０】
また、ポケットティシュー製品は、剛性のないフィルム包装となるため、鞄に入れて持ち運ぶ際にマイクロカプセルが意図せず崩壊して、香りの発現、飛散による持続性の低下などのおそれがあった。
【００１１】
以上のとおり、ポケットティシュー製品では、ほのかな香りを長期間継続的にティシュペーパーに付与することが難しいという問題があった。
【先行技術文献】
【特許文献】
【００１２】
【特許文献１】特開２００７−２５４００５号公報
【特許文献２】特開２００７−１８２２４８号公報
【発明の概要】
【発明が解決しようとする課題】
【００１３】
そこで、本発明の主たる課題は、製造が容易で、製造コストも安く、保管期間が長くとも香りが十分に感じられ、しかも、使用開始後にほのかな香りが継続的に安定して発せられる香り付きポケットティシュー製品を提供することにある。
【課題を解決するための手段】
【００１４】
上記課題を解決した本発明は以下のとおりである。
〔請求項１記載の発明〕
折り畳まれたティシュペーパーが複数枚重ねられたティシュペーパーの束が包装フィルムにより個包装されたポケットティシュー製品であって、
前記包装フィルムが、内側樹脂製フィルム層と外側樹脂製フィルム層とこれらの間に介在して両フィルムを接着する粘着剤層又は接着剤層とを有する層構造を有し、
その粘着剤層又は接着剤層に香料が含有されているとともに、前記内側樹脂製フィルム層が前記外側樹脂製フィルム層よりもガスの透過性が高いものであり、
かつ、前記内側樹脂製フィルム層が前記ティシュペーパー束に対面する位置関係で、ティシュペーパー束が包装フィルムにより包装されている、
ことを特徴とする香り付きポケットティシュー製品。
【００１５】
〔請求項２記載の発明〕
前記外側樹脂製フィルム層は、酸素の透過度が２００ｃｃ／ｍ2・２４ｈ／ａｔｍ未満、炭酸ガスの透過度が９００ｃｃ／ｍ2・２４ｈ／ａｔｍ未満であり、前記内側樹脂製フィルム層は、酸素の透過度が７００ｃｃ／ｍ2・２４ｈ／ａｔｍ以上、炭酸ガスの透過度が４０００ｃｃ／ｍ2・２４ｈ／ａｔｍ以上である、
請求項１記載の香り付きポケットティシュー製品。
【００１６】
〔請求項３記載の発明〕
前記外側樹樹脂製フィルム層が、ポリエチレンテレフタレートフィルム、ポリ塩化ビニリデンフィルムである請求項１又は２記載の香り付きポケットティシュー製品。
【００１７】
〔請求項４記載の発明〕
前記内側樹脂製フィルム層が、ポリエチレンフィルム、ポリスチレンフィルム、ポリプロピレンフィルム、ポリカーボネートフィルムである請求項１〜３の何れか１項に記載の香り付きポケットティシュー製品。
【００１８】
〔請求項５記載の発明〕
前記外側樹脂製フィルム層の厚みが５〜８０μｍ、内側樹脂製フィルム層の厚みが１０〜１００μｍ、粘着剤層又は接着剤層の厚みが５〜８０μｍである請求項１〜４の何れか１項に記載の香り付きポケットティシュー製品。
【００１９】
〔作用効果〕
本発明に係るポケットティシュー製品は、粘着剤又は接着剤に含まれる香料が揮散する際に、外側樹脂性フィルム層よりも内側樹脂製フィルム層を透過して放散される。よって、香料がティシュペーパー束に向かって拡散されるようになり、ティシュペーパーに香りが付与される。その一方、包装フィルム外方には揮散し難い。
【００２０】
また、本発明に係るポケットティシュー製品は、香料が粘着剤層又は接着剤層に含有されているとともに、内側樹脂製フィルム層を通して拡散されるため、露出された状態の香料層等から香料が拡散する場合と比較して、極めて微量の香料が徐々に内側樹脂製フィルム面から拡散されるようになる。
【００２１】
したがって、本発明に係るポケットティシュー製品は、長期間にわたって微量の香料が個包装フィルム内に拡散することになり、もって、保管期間が長くとも香りが十分に感じられ、しかも、使用開始後にも急激な香料の揮散がなく、ほのかな香りが継続的に安定して発せられるものとなる。
【００２２】
さらに、本発明のティシュペーパー製品は、内側樹脂製フィルムのフィルム種の選択により、ガスの透過性を調整することができ、除放性の調整も容易に行なうことができる。
【００２３】
特に、本発明において、内側樹脂製フィルム層を、酸素の透過度が７００ｃｃ／ｍ2・２４ｈ／ａｔｍ以上、炭酸ガスの透過度が４０００ｃｃ／ｍ2・２４ｈ／ａｔｍ以上のものとし、外側樹脂製フィルム層を、酸素の透過度が２００ｃｃ／ｍ2・２４ｈ／ａｔｍ未満、炭酸ガスの透過度が９００ｃｃ／ｍ2・２４ｈ／ａｔｍ未満のものとすると、接着剤層又は粘着剤層に含まれる香料が、内側樹脂製フィルム層を介して徐々に拡散されるとともに、外側樹脂製フィルム側から外部に拡散されるおそれが格段に小さくなる。もって、本発明の効果が確実なものとなる。
【００２４】
ここで、特に本発明において好ましい外側樹脂製フィルムは、ポリエチレンテレフタレートフィルム、ポリ塩化ビニリデンフィルムであり、内側樹脂製フィルムは、ポリエチレンフィルム、ポリスチレンフィルム、ポリプロピレンフィルム、ポリカーボネートフィルムである。
これらのフィルムは、比較的安価で入手性、加工性にとみ包装フィルムとするに適する。
【００２５】
また、外側樹脂製フィルム層の厚みが５〜８０μｍ、内側樹脂製フィルム層の厚みが１０〜１００μｍ、粘着剤層又は接着剤層の厚みが５〜８０μｍであると、包装フィルム全体の剛性が過度に高まることなく、ポケットティシュー製品としての取り扱い性を十分に確保できる。
【００２６】
他方、本発明に係るティシュペーパー製品は、微量の香料を徐々に拡散されるようにすることができるため、香料自体の使用量を少なくすることができる。また、粘着剤又は接着剤は塗布・塗工などによって容易に薄く広範な薄膜に形成することができるため、香料を包装フィルムの広範に固定でき、使用量を低減させながらもティシュペーパー束全体に香料を付与することができる。
【００２７】
さらに、本発明のポケットティシュー製品は、ティシュペーパー自体ではなく、包装フィルムに香料を担持させたため、ティシュペーパー自体に香料を付与する必要がない。よって、背景技術に記載したようなティシュペーパー自体に香料を付与する際の問題が解決される。
【００２８】
また、包装フィルムに香料を塗布する設備は、ティシュペーパーの製造設備と比較すると小規模であり、製造コストは格段に低減する。
【発明の効果】
【００２９】
以上のとおり、本発明によれば、製造がし易く、製造コストも安く、保管期間が長くとも使用時に香りが十分に感じられ、しかも、使用開始後に、ほのかな香りが継続的に安定して発せられる香り付きポケットティシュー製品が提供される。
【図面の簡単な説明】
【００３０】
【図１】本発明に係るポケットティシュー製品の斜視図である。
【図２】そのII-II断面図である。
【図３】そのIII-III断面図である。
【図４】本発明に係るポケットティシュー製品を複数個、まとめて包装した製品の斜視図である。
【発明を実施するための形態】
【００３１】
次いで、本発明の実施の形態を図１〜４を参照しながら以下に詳述する。
本発明にかかるポケットティシュー製品１００は、既知のポケットティシューの折り方にしたがって折り畳まれたティシュペーパーが１０〜２０組程度重ねられてなるティシュペーパーの束２を、包装フィルム１により個包装したものであり、略長方形状の上下面（上面を符号１１で示す）及びこれら繋ぐ長側縁１２及び短側縁１３とからなる座布団様の偏平状の立体形状の外形をなすものである。その大きさは、概ね短側縁１３の長さＬ１×長側縁１２の長さＬ２×厚さが、７５±１０ｍｍ×１２５±１０ｍｍ×１５±５ｍｍである。
【００３２】
包装フィルム１によるティシュペーパー束２の包装形態は、既知のポケットティシュー製品の包装形態にしたがえばよく、特に限定されない。図示例では、包装フィルム１でティシュペーパーの束２を巻き三つ折りのようにして包み、その両端面開口部を融着処理により封止した包装態様である（熱融着部は符号１５で示す）。
【００３３】
他方、本実施形態のポケットティシュー製品１００は、既知の製品と同様に、包装フィルム１のティシュペーパー束２の上面２１に対面する部分のほぼ中央に長側縁１２に沿う方向に取出口形成部としてのミシン目線１４が形成されている。このミシン目線１４を裂開することで形成されるスリット状の取出口から内部のティシュペーパーが取出し可能となる。
図示の形態では、既知の態様にしたがって、フィルム縁部同士が重ならない面がティシュペーパー束２の上面２１に対面するように構成されているが、この形態に限定されない。
【００３４】
内包されるティシュペーパー束２を構成するティシュペーパーは、既知のものが使用できる。ただし、従来ポケットティシュー製品は、街頭等で無償配布される安価なものが主流であったが、近年の保湿剤や柔軟剤を付与した高価な薬液付与タイプのティシュペーパーの需要の高まりとともに、このような薬液付与タイプのティシュペーパーを携帯性に優れたポケットティシュー製品としたものの需要が高まっている。そして、このような薬液付与タイプのものは、購買力が高く、本発明のような香り付きとして付加価値を高めるに適しているため、本発明のポケットティシュー製品１００は、薬液付与タイプのティシュペーパーを内包した製品にも適する。
【００３５】
ここで、本発明に係るポケットティシュー製品１００では、包装フィルム１が、内側樹脂製フィルム層３０Ｂと外側樹脂製フィルム層３０Ａとこれらの間に介在して両フィルムを接着する粘着剤層又は接着剤層３０Ｍとを有する層構造をなし、その内側樹脂製フィルム層３０Ｂがティシュペーパー束２に対面する位置関係で、ティシュペーパー束２が包装されている。
【００３６】
そして、前記包装フィルム１の粘着剤層又は接着剤層３０Ｍに香料が含有され、かつ、前記内側樹脂製フィルム層３０Ｂが前記外側樹脂製フィルム層３０Ａよりもガスの透過性が高いものとされている。
【００３７】
かかる包装フィルムの構造及び包装態様により、粘着剤層や接着剤層３０Ｍ中の香料が内側樹脂製フィルム層３０Ｂを透過して、包装フィルム１内に拡散するとともにティシュペーパー束２に移り、ほのかに長期に香りが感じられるティシュペーパー製品１００となる。
【００３８】
本発明のポケットティシュー製品１００の効果を十分に得るためには、前記外側樹脂製フィルム層３０Ａは、外部への香料の放散が極力されないように、香料に対するガスバリア性が高いものを用い、内側樹脂製フィルム層３０Ｂについては適度にガス透過性を有するものを用いるのがよい。なお、内側樹脂製フィルム層３０Ｂ、外側樹脂製フィルム層３０Ａは必ずしも単層構造に限らず、積層構造であってもよい。
【００３９】
より具体的には、外側樹脂製フィルム層３０Ａは、酸素の透過度が２００ｃｃ／ｍ2・２４ｈ／ａｔｍ未満、炭酸ガスの透過度が９００ｃｃ／ｍ2・２４ｈ／ａｔｍ未満であるものが望ましい。上記ガスの透過度であると、ポケットティシュー製品１００に使用可能な香料のほとんどに対して十分なガスバリア性を発揮する。また、前記内側樹脂製フィルム層３０Ｂは、酸素の透過度が７００ｃｃ／ｍ2・２４ｈ／ａｔｍ以上、炭酸ガスの透過度が４０００ｃｃ／ｍ2・２４ｈ／ａｔｍ以上であるものが望ましい。上記ガスの透過度を有するものであれば、香料を適度に透過させて本発明の効果を確実に発揮させることができる。
【００４０】
なお、本発明に係るポケットティシュー製品１００は、内側樹脂製フィルム層３０Ｂを構成するフィルムの選択により、内側樹脂製フィルム層３０Ｂを透過する香料の量等を調整し、適宜の徐放性を発揮させることもでき、そのようにしてもよい。これは、香料と特に内側樹脂製フィルム３０Ｂとの組み合わせを適宜選択すればよい。
【００４１】
ここで、コストや剛性等からポケットティシュー製品の包装材として適する主なフィルム素材の例と透過度を下記表１に示す。
【００４２】
【表１】
2014046958.tif 000003
【００４３】
表１から理解されるように前記外側樹脂製フィルム層３０Ａとしては、ポリエチレンテレフタレートフィルム、ポリ塩化ビニリデンフィルムが好適であり、内側樹脂製フィルム層３０Ｂとしては、ポリエチレンフィルム、ポリスチレンフィルム、ポリプロピレンフィルム、ポリカーボネートフィルムが好適である。
【００４４】
特に、外側樹脂製フィルム層３０Ａと内側樹脂製フィルム層３０Ｂとの好適な具体的なフィルム種の組み合わせは、内側樹脂製フィルム層３０Ｂが、ポリエチレンフィルム、外側樹脂フィルム層３０Ａがポリエチレンテレフタレートフィルムの組み合わせである。この組み合わせは、ポリエチレンが適度なガスの透過性を有し、ポリエチレンテレフタレートが十分なガスバリア性を有し、しかも各層のガスの透過性の差が大きく、確実に内側樹脂製フィルム層から香料を放散させることができる。さらに、ポリエチレンフィルム、ポリエチレンテレフタレートフィルムともに安価であり、また、ポケットティシュー製品１００の包装材として必要とされる柔軟性を十分に確保できる。
【００４５】
他方、本発明に係る包装フィルム１の厚みは、かならずしも限定されないが、２０〜２６０μｍであるのが望ましい。２０μｍ未満では、層構造を形成するのが困難となる。２６０μｍを超えると、強度の問題はないものの、硬くなりポケットティシュー製品として使用し難く、またコストも高くなる。
【００４６】
そして、内側樹脂製フィルム層３０Ｂは、香料の放散性をその厚さで調整することもできるため、その厚さの調整幅を確保するためにも外側樹脂製フィルム３０Ａの厚さは薄いほうが望ましく、５〜８０μｍであるのが望ましい。なお、５μｍ未満では強度不足となりやすく、２０μｍを超えてもガスバリア性の向上は期待できず却って包装フィルムの柔軟性を低下させるおそれが高まる。
【００４７】
他方、内側樹脂製フィルム層３０Ｂについては、１０〜１００μｍが望ましく、ポケットティシュー製品１００の一般的な保管期間や剛性を考慮すると３０〜８０μｍであるのが望ましい。
【００４８】
とりわけ、外側樹脂製フィルム層３０Ａとポリエチレンテレフタレートフィルムで構成し、かつその厚みを１０〜６０μｍとし、内側樹脂製フィルム層３０Ｂをポリエチレンフィルムで構成し、かつその厚みを３０〜８０μｍとすると、香料のガスバリア性、放散性、包装材としての柔軟性のバランス良く、本発明の効果が良好に発揮されるようになる。
【００４９】
他方、粘着剤層又は接着剤層３０Ｍの厚みは、５〜８０μｍであるのがよい。５μｍ未満であると外側、内側のフィルム層を確実に接着することができず部分剥離のおそれが高まる、また、８０μｍを超えると包装フィルム１の柔軟性を低下させ、粘着剤・接着剤・香料の使用量が増加することによるコスト高になる。
【００５０】
粘着剤層又は接着剤層３０Ｍを形成するための粘着剤は、フィルム同士を剥離不能に接着するものが望ましいが、特に限定されない。天然ゴム系粘着剤、天然ゴムラッテクス系粘着剤、アクリル系粘着剤、ホットメルト粘着剤等である。特に樹脂製フィルムシートの接着性に優れ、香料の溶解性・分散性にも優れることから、アクリル系粘着剤が望ましい。また、接着剤としては、ポリエステル系接着剤がフィルムとの親和性に優れ接着が確実なものとなるので望ましい。
【００５１】
粘着剤層中又は接着剤層中における香料の配合割合は、香料の種類・揮発性等により定めることができるが、継続的にほのかに香気を発し、しかもコスト高とならないようにする点から、０．５〜１５ｇ／ｍ2、特に１〜８ｇ／ｍ2であるのがよい。
【００５２】
他方、粘着剤層又は接着剤層３０Ｍは、内側樹脂製フィルム層３０Ｂ、外側樹脂製装フィルム層３０Ａとの間に点在的に或いはパターンをもって存在してもよい。
もちろん、内側樹脂製フィルム層３０Ｂ、外側樹脂製フィルム層３０Ａとの間の全面に介在されている態様でもよい。この場合、外側樹脂製フィルム３０Ａと内側樹脂製フィルム層３０Ｂとの一体性を高めることができる。
【００５３】
なお、  なお、図２の包装フィルムによる包装態様は、上述のとおり巻き三つ折り態様を基礎とするものであるが、この包装態様は個包装フィルム１の底面側に隙間６０が形成される。本発明に係るティシュペーパー製品では、当該間隙部分を熱融着などにより封止して、包装フィルム内の気密性を高めることにより、香料の外部への放出を防止して、ティシュペーパー束へ香料がより移りやすいものとしてもよい。
【００５４】
なお、本発明に係る包装態様は、内側樹脂製フィルム３０Ｂはティシュぺーパー束２に対面する位置関係であればよく、ティシュペーパー束と接しない外方との包装フィルムの面との関係は特に限定されないが、より好ましくは、図示形態の包装態様の如く外面側に内側樹脂製フィルムが露出せずに、外側樹脂製フィルムで構成されている態様がよい。外面の全面或いはほぼ全面に外側樹脂製フィルムが位置する態様であれば、香料が無駄に外部に拡散することがなく、例えば、鞄に入れて形態する際、商品陳列する際等に、周辺物品等に香気が意図せずに移ることがない。
【００５５】
他方、本実施形態のポケットティシュー製品１００の製造方法は限定されないが、例えば、包装フィルム１となる連続フィルムシートを搬送する過程で、平行して搬送されるティシュペーパー束２を包むようにして両側縁を折り返して巻き三つ折りのようにし、その後にティシュペーパー束２の搬送方向の前後縁のやや外方位置を熱融着して封止し、裁断する既知の方法により製造することができる。
【００５６】
なお、本発明に係るポケットティシュー製品１００では、上述のとおり香料が内側樹脂製フィルム層３０Ｂを通して放散させるものであるため、香料は、マイクロカプセルに封入するような態様は採らず、直接的に蒸散可能な態様で粘着剤層又は接着剤層に含有させる。
【００５７】
ここで、粘着剤層又は接着剤層３０Ｍに含有させる上記香料は、特に限定されるものではないが、具体例として、リュウゼン香、安息香、海狸香、霊猫香、丁字油、ガルバナム、ジャスミンアブソリュート、ラブタナム、マテ茶、メリロット、ミモザ、ムスクトンキン、ミルラ、オークモスまたはモスドシェーヌ、乳香、ビャクシ香、オリス、バチュリ、ローズマリー油、白檀油、ベチバー油、バイオレットリーフアブソリュートなどの天然香料、高級アルコール、アルデヒド、ベンズアルデヒド、安息香酸、ケイ皮酸、ケイ皮アルデヒド、ケイ皮アルコール、クマリン、エステル、インドール、ケトン、サリチル酸と関連化合物、テルペノイド、バニリンなどの各種の合成香料あるいはこれらの２つ以上の混合物を挙げることができる。市販品を使用することもできる。
【００５８】
他方、本発明に係るポケットティシュー製品１００では、内包されるティシュペーパー束２を構成するティシュペーパーは、２枚〜３枚の薄葉紙が積層されたプライ構造を有している。
【００５９】
その薄葉紙の原料パルプとしては、ＮＢＫＰとＬＢＫＰとを配合したものであり、適宜古紙パルプが配合されていてもよいが、風合いなどの点で、ＮＢＫＰとＬＢＫＰのみから構成されているのがよい。その場合配合割合としては、ＮＢＫＰ：ＬＢＫＰ＝２０：８０〜８０：２０がよく、特に、ＮＢＫＰ：ＬＢＫＰ＝３０：７０〜６０：４０が望ましい。
【００６０】
本発明に係るティシュペーパーの各プライを構成する薄葉紙１枚あたりの米坪は、好ましくは９〜２５ｇ／ｍ2、より好ましくは１０〜１５ｇ／ｍ2である。米坪が９ｇ／ｍ2未満では、柔らかさの向上の観点からは好ましいものの、使用に耐えうる十分な強度を適正に確保することが困難となる。逆に米坪が２５ｇ／ｍ2を超えると紙全体が硬くなるとともに、ゴワ付き感が生じてしまい肌触りが悪くなる。なお、米坪は、ＪＩＳ Ｐ ８１２４（１９９８）の米坪測定方法による。
【００６１】
他方、本発明に係るティシュペーパーの紙厚は、２プライの状態で１００〜１６０μｍ、より好ましくは１２０〜１４０μｍであるのが望ましい。紙厚が１００μｍ未満では、柔らかさの向上の観点からは好ましいものの、ティシュペーパーとしての強度を適正に確保することが困難となる。また、１６０μｍ超では、ティシュペーパーの肌触りが悪化するとともに、使用時にゴワツキ感が生じるようになる。
【００６２】
なお、紙厚、各フィルム層の厚さ、粘着剤層又は接着剤層の厚さの測定方法は、試験片をＪＩＳ Ｐ ８１１１（１９９８）の条件下で十分に調湿した後、同条件下でダイヤルシックネスゲージ（厚み測定器）「ＰＥＡＣＯＣＫ Ｇ型」（尾崎製作所製）を用いて測定する。
【００６３】
紙厚は２プライの状態で測定し、フィルム厚みは単層の状態で測定し、包装フィルムは包装フィルムの状態で測定するものとする。
【００６４】
具体的には、プランジャーと測定台の間にゴミ、チリ等がないことを確認してプランジャーを測定台の上におろし、前記ダイヤルシックネスゲージのメモリを移動させてゼロ点を合わせ、次いで、プランジャーを上げて試料を試験台の上におき、プランジャーをゆっくりと下ろしそのときのゲージを読み取る。このとき、プランジャーをのせるだけとする。プランジャーの端子は金属製で直径１０ｍｍの円形の平面が紙平面に対し垂直に当たるようにし、この厚みの測定時の荷重は、１２０μｍの際に約７０ｇｆである。なお、厚みは測定を１０回行って得られる平均値とする。
【００６５】
但し、接着剤層又は粘着剤層は直接の測定ができないため、上記測定方法と算術によって求めることとする。
【００６６】
なお、ポケットティシュー製品１００は、販売などするにあたって、図５に示すように複数個をまとめてポリプロピレンフィルム等の樹脂製の外装フィルム１０１によって包装した形態のポケットティシュー製品包装体２００とするのに適する。ポケットティシュー製品単体では、ミシン目線のカット部等から少なからず香料が拡散するが、上記包装体２００では、ポケットティシュー製品自体がフィルム包装されるため、係る包装フィルム外へ香料が飛散することなく、例えば商品陳列の際等に、隣接製品への香りが移るようなこともない。この商品陳列の際の香料飛散を防止すべく外装フィルム１０１は、ポリプロピレン樹脂など、安価かつガス透過性の低い樹脂製フィルムであるのが望ましい。
【符号の説明】
【００６７】
１００…ポケットティシュー製品、１…包装フィルム、２…ティシュペーパー束、１１…ポケットティシュー製品の上面、１２…ポケットティシュー製品の長側縁、１３…ポケットティシュー製品の短側縁、Ｌ１…短側縁の長さ、Ｌ２…長側縁の長さ、１５…熱融着部、２１…ティシュペーパー束の上面、１４…取出口（取出口形成用ミシン目線）、３０Ａ…外側樹脂製フィルム層、３０Ｍ…粘着剤層又は接着剤層、３０Ｂ…内側樹脂製フィルム層、１０１…外装フィルム、２００…ポケットティシュー製品包装体。
【図１】
2014046958.tif 000004
【図２】
2014046958.tif 000005
【図３】
2014046958.tif 000006
【図４】
2014046958.tif 000007